(57)【要約】  【課題】  鴨居と引き戸間に大きな隙間があり、美観に欠けるという欠点があった。また、引き戸間に隙間あるために部屋と部屋との仕切りが不完全であるという欠点があった。本発明はこのような欠点を無くした障子、襖等の引き戸構造を提供することを課題としている。  【構成】  引き戸の外側表面と同一平面となるように鴨居及び敷居に設けられた溝状レールに嵌合する凸状ガイド部を設けると共に、引き戸を閉めたときに引き戸相互に重なり合う部分に突起を設けて一方の空間から他方の空間に光が漏れない構造としたことを特徴としている。 【選択図】  図１
2005098001.tif 000002
【特許請求の範囲】
【請求項１】
両側に配置した縦枠間の上端及び下端に鴨居と敷居を設けて枠体を構成し、該鴨居と敷居の対向する下面及び上面の夫々に２組の上下の対となるレールを設けて、第１組の上下に設けられたレールに第１引き戸とを着脱自在に取り付け、第２組の上下に設けられたレールに第２引き戸とを着脱自在に取り付けて該枠体の開口を開閉可能にした引き戸構造において、前記第１引き戸の外側表面と同一平面となるように第１引き戸の上下端に前記第１組の上下に設けられたレールに嵌合する凸状ガイド部を設け、前記第２引き戸の外側表面と同一平面となるように第２引き戸の上下端に前記第２組の上下に設けられたレールに嵌合する凸状ガイド部を設けたことを特徴とする引き戸構造。
【請求項２】
前記２組の上下対からなるレールは２個の平行に設けられた溝状レールから構成され、前記第１引き戸及び前記第２引き戸の夫々の上下面に２個の前記溝状レールに嵌合する２個の凸状ガイドを設けたけたことを特徴とする請求項１に記載の引き戸構造。  
【請求項３】
前記引き戸構造は中央に配置する２枚の引き戸とその両側に１枚の引き戸を配置した引き戸構造を含むことを特徴とする請求項１又は請求項２の何れか１に記載の引き戸構造。
【請求項４】
前記引き戸構造は前記開口を閉めたときに前記第１引き戸と前記第２引き戸の一部が相互に重なり合うように構成し、該引き戸の一方の空間から他方の空間に該重なり部分を通って光が漏れない構造としたことを特徴とする請求項１〜請求項３の何れか１に記載の引き戸構造。
【請求項５】
前記光漏れ防止構造は前記重なり合う部分の該引き戸の端部に相互に近接した凸部を設けて該引き戸相互の距離を狭くして光が漏れない構造としたことを特徴とする請求項１〜請求項４の何れか１に記載の引き戸構造。
【請求項６】
前記引き戸構造は同一の溝状レールを移動する２枚の引き戸が前記開口を閉めたときに当接触する端部によって形成される隙間を外側から覆う突起部材を該２枚の引き戸の一方に設けて該隙間から光が漏れない構造としたことを特徴とする請求項３に記載の引き戸構造。
【発明の詳細な説明】
【技術分野】
【０００１】
この発明は、障子、襖等の引き戸の構造に関するものである。
【背景技術】
【０００２】
従来から、日本家屋の部屋を仕切るために、或いは部屋と部屋との境界を設けるために、障子、襖等の引き戸構造が利用されている。この引き戸構造は鴨居の下側面と敷居の上側面の夫々に凹凸状のレールを設けると共に、引き戸自体の上下端に係合する凹凸状ガイドを設けて、横方向に移動させて開閉を行うものである。このような構造例としては、特許文献１に開示されたものがある。
【特許文献１】特開平１０−８８２４号
【０００３】
図５は特許文献１に開示された枠構造を示す。この枠構造は、両側に設けられた縦枠３１、上側に設けられた鴨居３３、下側に設けられた敷居３２とから構成されている。また、鴨居３３の下側面に溝３４ａ、３４ｂからなるレールが設けられ、敷居３２の上側面には溝３４ａ、３４ｂからなるレールが設けられている。図６は、図５における引き戸構造を示した平面図である。図６において、引き戸３５ａのガイド（図示されていない）が一方の溝３４ａをレールとして水平に移動し、引き戸３５ｂも他方の溝３４ｂをレールとして移動する。なお、３６は手掛け（戸を開閉するために手を掛けるための把手）である。また、３７は引き残し手段（ストッパー）であって、２枚の引き戸３５ａ、３５ｂを一方の側に寄せた場合に手掛け３６を操作できるようにするためのものである。
【０００４】
上記特許文献には引き戸と溝（レール）との係合部分の構造（ガイド）が明瞭に記載されていない。上記の図からも推測できるように、従来から利用されているガイド部分の構造を図７に示す。なお、図７では原則として参照番号を前図に合わせて記載し、詳細な説明を省略している。図７において、引き戸３５ａ、３５ｂの上端面３８ａ、３８ｂと鴨居３３に設けられた溝状レール３４ａの底面３９ａ、３９ｂとの間に大きな隙間を設けている。これは引き戸３５ａ、３５ｂを取り付けたり、取り外したりするためのスペースである。同様に、引き戸３５ａ、３５ｂの左側上端面４０ａ、４０ｂと鴨居３３の下側面４１ａ（又は４１ｂ）との間に大きな隙間を設けている。また、引き戸３５ａと３５ｂとの間にも隙間４２を設けている。これも上記と同様な理由によるものである。
【発明の開示】
【発明が解決しようとする課題】
【０００５】
上述したように、従来の引き戸構造では、引き戸３５ａ、３５ｂの図示の左側上端面４０ａ、４０ｂと鴨居３３の下側面４１ａ（又は４１ｂ）との間に大きな隙間を設けている。このために、上品さを重視する日本間（特に、高級なお座敷等）においては見苦しいという欠点があった。また、引き戸３５ａと３５ｂとの間に隙間４２を設けているために、隣室からの明かりが漏れてきて、仕切りが不完全であるという印象を与えるなどの欠点があった。本発明はこのような欠点を無くした障子、襖等の引き戸構造を提供することを課題としている。
【課題を解決するための手段】
【０００６】
請求項１に記載の発明は、両側に配置した縦枠間の上端及び下端に鴨居と敷居を設けて枠体を構成し、該鴨居と敷居の対向する下面及び上面の夫々に２組の上下の対となるレールを設けて、第１組の上下に設けられたレールに第１引き戸とを着脱自在に取り付け、第２組の上下に設けられたレールに第２引き戸とを着脱自在に取り付けて該枠体の開口を開閉可能にした引き戸構造において、前記第１引き戸の外側表面と同一平面となるように第１引き戸の上下端に前記第１組の上下に設けられたレールに嵌合する凸状ガイド部を設け、前記第２引き戸の外側表面と同一平面となるように第２引き戸の上下端に前記第２組の上下に設けられたレールに嵌合する凸状ガイド部を設けたことを特徴としている。
本発明は引き戸の外側表面を一平面で構成し、美観を向上させたことを主な特徴としている。  
【０００７】
請求項２に記載の発明は、請求項１に記載の発明において、前記２組の上下対からなるレールは２個の平行に設けられた溝状レールから構成され、前記第１引き戸及び前記第２引き戸の夫々の上下面に２個の前記溝状レールに嵌合する２個の凸状ガイドを設けたけたことを特徴としている。
本発明は各引き戸に対して平行な２本の溝状レールを設けて開閉動作を円滑にしたことを主な特徴としている。
【０００８】
請求項３に記載の発明は、請求項１〜請求項２の何れか１に記載の発明において、前記引き戸構造は中央に配置する２枚の引き戸とその両側に１枚の引き戸を配置した引き戸構造を含むことを特徴としている。
本発明は４枚の引き戸からなる引き戸構造も含まれること明らかにしている。
【０００９】
請求項４に記載の発明は、請求項１〜請求項３の何れか１に記載の発明において、前記引き戸構造は前記開口を閉めたときに前記第１引き戸と前記第２引き戸の一部が相互に重なり合うように構成し、該引き戸の一方の空間から他方の空間に該重なり部分を通って光が漏れない構造としたことを特徴としている。
本発明は重なり部分からの光漏れ防止手段を設けて、部屋間の仕切りを向上させたことを主な特徴としている。
【００１０】
請求項５に記載の発明は、請求項１〜請求項４の何れか１に記載の発明において、前記光漏れ防止構造は前記重なり合う部分の該引き戸の端部に相互に近接した凸部を設けて該引き戸相互の距離を狭くして光が漏れない構造としたことを特徴としている。
【００１１】
請求項６に記載の発明は、請求項３に記載の発明において、同一の溝状レールを移動する２枚の引き戸が前記開口を閉めたときに当接触する端部によって形成される隙間を外側から覆う突起部材を該２枚の引き戸の一方に設けて該隙間から光が漏れない構造としたことを特徴としている。
【発明の効果】
【００１２】
本発明によれば、引き戸の美観が向上し、部屋全体の美観の向上し、その結果部屋の価値が向上するという効果が得られる。又請求項４、５に記載の発明によれば、更に、部屋の仕切り性或いは秘密性が向上し、安心感を与えるという効果が得られる。
【発明を実施するための最良の形態】
【００１３】
図１は本願発明を実施した実施形態で２枚の引き戸から構成される引き戸構造の例を示す。図２は図１の矢印Ａ−Ａから見た断面図を示す。図３は図２の矢印Ｂ−Ｂから見た部分断面図を示す。図１において、縦枠１１、１２を設け、縦枠１１、１１２の間の上下端には鴨居１３と敷居１４とを設けて枠体を構成している。鴨居１３の内側面（下側面）１３ａには、図２に示すように、溝状レール１５ａ、１５ａを有する上側第１溝状レール１５と、溝状レール１６ａ、１６ａを有する上側第２溝状レール１６が形成されている。同様に、敷居１４の内側面（上側面）１４ａには、溝状レール１７ａ、１７ａを有する下側第１溝状レール１７と、溝状レール１８ａ、１８ａを有する下側第２溝状レール１８が形成されている。下側溝状レール１７、１８は、溝の深さは略３ｍｍに構成されているのが好ましい。
【００１４】
また、引き戸１９の上端には２個の凸状ガイド２０ａ、２０ｂが設けられており、下端には２個の凸状ガイド２１ａ、２１ｂが設けられている。これらの凸状ガイド２０ａ、２０ｂ、２１ａ、２１ｂは各々対応する溝状レール１５ａ、１５ａ、溝状レール１７ａ、１７ａに嵌合可能に設けられると共に、凸状ガイド２０ａ、２１ａは引き戸１９の外側表面１９ａと同一平面となるように外側面が形成されている。同様に、引き戸２２の上端には２個の凸状ガイド２３ａ、２３ｂが設けられており、下端には２個の凸状ガイド２４ａ、２４ｂが設けられている。これらの凸状ガイド２３ａ、２３ｂ、２４ａ、２４ｂは各々対応する溝状レール１６ａ、１６ａ、溝状レール１８ａ、１８ａに嵌合可能に設けられると共に、凸状ガイド２３ａ、２４ａは引き戸２２の外側表面２２ａと同一平面となるように外側面が設けられている。
【００１５】
又、図２で示されているように、引き戸１９と引き戸２２の間には隙間２６が設けられている。この隙間２６を制作上、使用上の点からゼロにする（無くす）ことはできない。従って、引き戸１９、２２を閉めた場合に一部分が重なり合うように設けて仕切りを高めているが、重なり部分を大きくすると見栄が悪くなる。図３は重なり部分１９ｂ、２２ｂをある範囲に抑えて仕切りを高めために重なり部分の先端に突起１９ｃ、２２ｃを設けて重なり部分の隙間２６を小さくすると共に隙間を曲がりくねらせることにより、明かりの漏れを防いでいる。また、この結果、隣室の話し声の漏れも小さくなる。
【００１６】
図４は別の実施例で、枠体の開口を４枚の引き戸で開閉可能にする例である。図４（Ａ）は閉めた状態における引き戸の配置を示す。即ち、中央に引き戸２５ａ、２５ｂが配置されると共に、その両側に引き戸２８ａ、２８ｂが配置される。引き戸２５ａ、２５ｂは上記の実施例（図２参照）の引き戸１９と同じ構成にし、引き戸２６ａ、２６ｂは引き戸２２と同じ構成にしてもよい。即ち、引き戸２５ａ、２５ｂは外側（図４（Ａ）の下側）から見た場合に表面が凸状ガイドを含めて平面に構成され、引き戸２６ａ、２６ｂは外側（図４（Ａ）の上側）から見た場合に表面が凸状ガイドを含めて平面に構成されている。
【００１７】
図４（Ｂ）、（Ｃ）は図４（Ａ）の丸で囲んだＢ部分及びＣ部分の拡大断面図を示す。図４（Ｂ）は、引き戸２５ａ、２５ｂの何れか一方に突起部材２７を設けて仕切り性を高めた例である。即ち、引き戸２５ａ、２５ｂの中央先端が当接触する部分に隙間ができやすく、その隙間から光が漏れないようにしている。突起部材２７は断面が図示のように半楕円状をしており、突起部材２７の一端部が２５ａ、２５ｂの一方に固設されており、反対側端部は他方の引き戸２５ａ（又は２５ｂ）の端部を覆うように形成されている。これによって中央部分Ｂの仕切り性が向上される。又、図４（Ｃ）は引き戸２８ａ、２５ａの重なり部分の仕切り性を高めるための実施例で、図３に説明したものと同じ実施例を採用している。
【００１８】
以上に説明したように、本実施形態によれば、図７に示すような４１ｂ、４０ｂ間の隙間を無くしたので、美観が向上する。このように、目立たない部分に工夫を凝らして美観を向上させることは「奥ゆかしさ」を表出して、日本的審美性の観点から特に有用であり、日本間の価値を著しく向上させる効果がある。また、引き戸間相互の仕切り性を向上させたことにより隣室の状態を気にすることが少なくなり、日本間の部屋の活用性が向上するという効果が得られる。
【００１９】
なお、本発明の技術的範囲は上記実施例に限定されるものではなく、請求の範囲に記載されている範囲で実質的に同様と見られる技術も含まれる。例えば、図２において、引き戸１９を引き戸２２と同様な構成にして引き戸１９の内側部分の突起している部分２０ｄを無くした場合も本発明の技術的範囲に属する。また、引き戸と縦枠１１，１２との間に隙間が生じ、光が漏れる場合にも光漏れ防止手段を設けてもよい。
【図面の簡単な説明】
【００２０】
【図１】本発明を実施した実施形態の全体斜視図を示す。
【図２】図１の矢印Ａ−Ａから見た断面図を示す。
【図３】図２の矢印Ｂ−Ｂから見た断面図を示す。
【図４】４枚の引き戸によって構成した例を示す。
【図５】従来の枠体の構成例を示す。
【図６】従来の引き戸構造の上から見た平面断面図を示す。
【図７】従来の引き戸構造の課題を示す説明図である。
【符号の説明】
【００２１】
１１，１２        縦枠
１３              鴨居
１４              敷居
１５〜１８        溝状レール（レール）
１９，２２        引き戸
２０〜２４        凸状ガイド
２６              引き戸間の隙間
２７              突起部材
【図１】
2005098001.tif 000003
【図２】
2005098001.tif 000004
【図３】
2005098001.tif 000005
【図４】
2005098001.tif 000006
【図５】
2005098001.tif 000007
【図６】
2005098001.tif 000008
【図７】
2005098001.tif 000009